(57)【特許請求の範囲】
【請求項１】
三波長型光源を有し、この三波長型光源光を面状に照明する平面型照明装置と、
前記平面型照明装置から出力される光を照明光として受け、２次元平面的に配置された画素毎に前記照明光を三原色に分解する三原色分解手段を有し、透過率あるいは反射率を変調することにより画像を表示する非発光型カラー画像表示素子と、
積層された複数の複屈折性フィルムおよび少なくとも一つの偏光素子を有し、前記三波長型光源の三原色の主発光ピークを強調する色強調フィルタと、
を備え、前記非発光型カラー画像表示素子はカラーフィルタおよび偏光板を備えた液晶表示素子であり、前記偏光素子は前記積層された複数の複屈折性フィルムに対し前記三波長型光源側に位置し、前記積層された複数の複屈折性フィルムは、前記偏光素子と前記液晶表示素子の光入射側に設けられた前記偏光板との組み合わせにおいて、４５０ｎｍ以上、５４０ｎｍ以下の範囲に吸収域を有する台形フィルタとなる複数枚の第１複屈折性フィルム層と、５６０ｎｍ以上、６００ｎｍ以下の範囲に吸収域を有する狭帯域フィルタとなる複数枚の第２複屈折性フィルム層と、を備えていることを特徴とするカラー表示装置。
【請求項２】
前記積層された複数の複屈折性フィルムおよび前記偏光素子は、前記三波長型光源と前記非発光型カラー画像表示素子との間に設けられたことを特徴とする請求項１記載のカラー表示装置。
【請求項３】
前記偏光素子は非吸収性偏光板であることを特徴とする請求項２記載のカラー表示装置。
【請求項４】
前記積層された複数の複屈折性フィルムおよび前記偏光素子は、前記非発光型カラー画像表示素子の表示画面上に設けられたことを特徴とする請求項１記載のカラー表示装置。
【発明の詳細な説明】
【０００１】
【発明の属する技術分野】
本発明は、カラー表示装置に関する。
【０００２】
【従来の技術】
近年、ＣＲＴ(Cathode Ray Tube)に代わり液晶を用いた非発光型カラー表示装置であるカラー液晶ディスプレイ（以下、カラーＬＣＤとも云う）が普及しつつある。カラーＬＣＤの一般的な構成は、図３３に示すように、冷陰極蛍光管などの白色光源１１、この光源１１の光およびこの光の反射器１２による反射光を面状に均一照明するためのライトガイド１３、反射板１４、および拡散集光フィルム１５からなるバックライトユニット１０と、画像を表示する液晶表示素子２０と、から成っている。なお、液晶表示素子２０は、入射側偏光板２１と、ＲＧＢカラーフィルタ（図示せず）、液晶層（図示せず）、配向膜（図示せず）、および電極（図示せず）からなる液晶パネル２２と、出射側偏光板２９とを有している。バックライトユニット１０から照明光として出射される白色光は、液晶表示素子２０の入射側偏光板２１を透過する際に無偏光から直線偏光に変換され、更に液晶パネル２２内に画素毎に設けられたＲＧＢカラーフィルタにより各ＲＧＢ色に色分解される。ＲＧＢ色に分解された入射偏光は、画素毎に電気的に制御された液晶分子の配列に従いその偏光状態が変調され、液晶表示素子２０の出射面に設けられた出射側偏光板２９を透過することでＯＮ、ＯＦＦ表示が行われる。カラーフィルタは液晶層に対し、光入射側ではなく出射側に位置することも多い。
【０００３】
このように、カラーＬＣＤにおいて、色分解はＲＧＢカラーフィルタにより行われるが、カラーフィルタの着色材は顔料もしくは染料であり、一般的に分光透過率が急峻ではないため、色純度の高いＲＧＢ色に色分解を行なうことが難しいという問題がある。そのため、白色光源としてＲＧＢ波長域各々に主発光ピークを有する蛍光材料を用いた、三波長型蛍光管が光源として一般的に使用されている。
【０００４】
【発明が解決しようとする課題】
しかしながら、カラーＬＣＤの普及に伴い、テレビジョン用途など、従来よりも高い純度のＲＧＢ色が求められるようになってきており、従来の構成での最適化では十分な性能が得られないという問題が生じている。ＲＧＢ色分解時の純度低下の原因としては、先に述べたＲＧＢカラーフィルタの色分解性能以外に三波長蛍光管における主発光ピーク以外に生じるサブピークの存在が挙げられる。
【０００５】
従来の構成の延長上にある色純度向上の方策としては、カラーフィルタ透過特性の最適化があるが、透過特性は材料起因の問題であり本質的改善は難しい。また、カラーフィルタの光学濃度を向上させることにより一定の効果が得られるが、透過率低下が生じ、光利用効率の点で望ましくない。一方、蛍光体組成の変更によりサブピークの発生を抑制することも可能であるが、主発光ピークの発光効率低下やピークシフトによる色純度低下の問題が生じ、本質的改善が困難である。
【０００６】
もう一つの問題として、ディスプレイ周辺に存在する光源が画面に写り込む、所謂「写り込み」の問題が挙げられる。これはバックライトからの照明光よりも強い光が画面に入射することで、液晶表示素子表面での鏡面反射により観測者に視認されるものであり、著しい表示劣化を引き起こす。従来の構成における改善策では、表面コートや拡散反射処理により鏡面反射性を低下させることが行われている。
【０００７】
本発明は、色再現域を広くすることができるとともに写り込みを可及的に低減させることのできるカラー表示装置を提供することを目的とする。
【０００８】
【課題を解決するための手段】
本発明によるカラー表示装置は、白色光源を有し、この白色光源を面状に照明を行なう平面型照明装置と、前記平面型照明装置から出力される光を照明光として受け、２次元平面的に配置された画素毎に前記照明光を三原色に分解する三原色分解手段を有し、透過率あるいは反射率を変調することにより画像を表示する非発光型カラー画像表示素子と、積層された複数の複屈折性フィルムおよび少なくとも１つの偏光素子を有し、前記白色光源の三原色の主発光ピークを強調する色強調フィルタと、を備えたことを特徴とする。
【０００９】
なお、非発光型カラー画像表示素子はカラーフィルタ及び偏光板を備えた液晶表示素子であっても良い。
【００１０】
なお、偏光素子は積層された複数の複屈折性フィルムに対して白色光源側に位置し、液晶表示素子の光入射側に設けられた偏光板との組み合わせにおいて、４５０以上で５４０ｎｍ以下の範囲および５６０以上で６００ｎｍ以下の範囲内にそれぞれ吸収域が存在するように構成することが好ましい。
【００１１】
なお、積層された複数の複屈折性フィルム及び偏光素子は、白色光源と非発光型カラー画像表示素子との間に設けるように構成しても良い。
【００１２】
なお、この場合、偏光素子は非吸収性偏光板であることが好ましい。
【００１３】
なお、積層された複数の複屈折性フィルム及び偏光素子は、非発光型カラー画像表示素子の表示画面上に設けても良い。
【００１４】
なお、白色光源は、三波長型光源であることが好ましい。
【００１５】
【発明の実施の形態】
本発明によるカラー表示装置の実施形態を図面を参照して説明する。
【００１６】
まず、本発明の実施形態を説明する前に、本発明の基本原理について説明する。
【００１７】
本発明は、複数の積層された複屈折性位相差フィルムと偏光素子により、カラー表示に必要なＲＧＢ光を透過させ、それ以外の不所望光を除去する光フィルタ機能を実現させた光学素子（色強調フィルタ）を備えたカラー表示装置である。
【００１８】
本発明に係る上記光学素子と類似の目的及び機能を実現する手段としては、特開平５−１７８６２３号公報などに述べられているように、特定の不所望の波長域を吸収する着色フィルタを設ける方式や、投射型表示装置の色分解合成用ダイクロイックミラー、プリズムなどに多用されている誘電体多層膜を用いる方式が知られている。しかしながら、前者の方式はカラーフィルタと同様、急峻な透過率曲線を得ることが難しく、かつ効率的な選択的光透過フィルタリングを行なうことが難しい。後者の方式は、急峻な透過率曲線を得ることが可能であるが、蒸着やスパッタリングによる多層成膜が必要であり、大面積化が困難でしかも高価である。また、光の斜め入射に対し干渉域の波長シフトが生じるため、斜め方向からの視認性も要求される直視型ディスプレイには適さない。
【００１９】
また、これら従来の方式に用いられる光学素子の波長選択域は、光の垂直入射に対し偏光選択性を有さない。従って、偏光利用デバイスであるカラーＬＣＤにおいては、本発明のように偏光選択性のある光フィルタを使用することが効果的である。
【００２０】
一方で、偏光選択性を用いた類似の従来例としては、特開平３−２５６０２０号公報に示すように、表示スクリーン上に偏光板と１／４位相差フィルムを設けることで周囲光の反射を低減し、明所での表示コントラストを向上させた例が知られている。しかしながら、この従来例では可視領域全域にわたって表示偏光光と周囲光の分離を行っているに過ぎず、波長選択性は持たない。従って、以下に述べるようにＲＧＢ色分離機能を改善して表示再現域を広域化する機能を有していない。
【００２１】
積層された複屈折位相差フィルムと偏光素子を用いて、特定の透過率特性を得る一般的な手法は、例えば、Ｉ．Ｓｏｌｃ（Ｊ．Ｏｐｔ．Ｓｏｃ．Ａｍｅｒｉｃａ  Ｖｏｌ．５５（１９６５）、ｐ６２１−６２５．）や、Ｓ．Ｅ．Ｈａｒｒｉｓ（同、Ｖｏｌ．５４（１９６４）、ｐ１２６７−１２７９．）において述べられている。複屈折位相差フィルムの光学パラメータと透過率特性は次のような関係がなりたつ。すなわち、透過率の波長プロファイルは積層される位相差フィルムの位相軸の角度と偏光素子の偏光軸角により決定され、位相差フィルムのリタデーション値を変更することで透過特性は波長シフトする（厳密には波長の逆数に対してシフトするため、長波長域では透過特性が伸張され、短波長域では圧縮される）。また、積層数を増加させると透過特性は急峻となる。
【００２２】
これらの設計手法を用いて、Ｇ．Ｄ．ＳｈａｒｐらはＲＧＢ色分離カラーフィルタを提案している（米国特許明細書第５，７５１，３８４号公報参照）。また、米国特許明細書第５，９２９，９４６号公報には、ＲＧＢ波長の境界領域を除去する透過フィルタの構成が明らかに開示されている。しかしながら、前者はＲＧＢ三原色のうち、特定の波長域のみを透過させる機能を持たせた透過フィルタであり、これらを例えば積層しても、ＲＧＢ波長域の何れかが欠落するため、本発明の目的とする透過率特性は得られない。
【００２３】
また、後者は、先に述べたＳｏｌｃの狭帯域フィルタにおける設計手法（ＴＹＰＥＩ）を、積層した層の前段と後段において位相角の符号を反転させることにより干渉域を高調域化して得られるものである。ＳｏｌｃおよびＳｈａｒｐの設計概念図を図２７（ａ）および図２７（ｂ）にそれぞれ示す。上記設計手法では以下に述べるように、現在主に使用されている三波長光源の主発光波長ピークに合致せず、本目的を達成することはできない。
【００２４】
その理由を具体的に明らかにするために、まず米国特許明細書第５，９２９，９４６号公報の図３８、３９（以下Ｓｈａｒｐの設計と記す）において示されている構成をＳｏｌｃの設計方法と対比させながら明らかにする。図２８（ａ）、（ｂ）は、Ｓｈａｒｐの設計値（図２８（ｂ））およびＳｈａｒｐの設計値の原型となるＳｏｌｃの設計値（図２８（ａ））を示したものである。また、図２９は複屈折波長フィルムとしてＰＣ（ポリカーボネート）を使用した際の理想偏光板（透過軸透過率１．０、偏光度１００％）間に挟まれたフィルタの透過率特性を示したものである。Ｓｏｌｃのフィルタは「折り畳み型フィルタ（Ｆｏｌｄｅｄ  Ｆｉｌｔｅｒ）」とよばれるフィルタ構成であり、複屈折フィルム層をＮ層とした際に、ρ＝４５°／Ｎとすると、偏光透過軸と進相軸とのなす角度として、第１層を角度ρ、第２層を−ρ、以下ρ、−ρ、・・・として得られる構成である。この場合、複屈折フィルムの複屈折をΔｎ（＝ｎｅ−ｎｏ）、フィルム厚をｄとしてリタデーション値Δｎ・ｄから定義されるリタデーション波長λＣ＝Δｎ（λＣ）×ｄ＝４４０ｎｍのフィルム２層を１単位としてＮ＝３とすることで、ρ＝１５°となり、図２８（ａ）に示す構成が得られる。なお、ｎｅは異常光線屈折率であり、ｎｏは常光線屈折率である。また、リタデーション波長λＣは、複屈折位相差フィルムを直交ニコル間に配置し、位相軸方位を偏光軸に対し４５°方向とした場合に得られる透過率波長分散曲線の最大値をとる波長の１／２として測定される。
【００２５】
一方、Ｓｈａｒｐの設計はρ／−ρ／ρというＳｏｌｃの基本構成を、前段と、この前段と符号を反転させた後段との２段とし、前段と後段の結合部を一部変更した構成となっている。即ち、ρ／−ρ／ρという前段と−ρ／ρ／−ρという後段の合成ρ／−ρ／ρ／−ρ／ρ／−ρの中央部ρ／−ρを０°で置き換え、ρ／−ρ／０°／ρ／−ρとしたものであるということが分かる。この構成を取ることでＳｏｌｃのフィルタにおける透過率特性に折り返しが生じ、「Ｗ」型の透過率特性が得られる。つまり、図２７（ａ）、（ｂ）において模式的に示したように、５００〜６００ｎｍにおける２つの吸収波長は独立ではなく、一つの設計から一意に決まる値であることが分かる。
【００２６】
これらのフィルタにおいて、複屈折フィルムの進相軸角は透過率プロファイルを与えるが、リタデーション値Δｎ・ｄ及び複屈折の材料から決まる複屈折Δｎの波長分散はフィルタのピーク波長を決定する。Ｓｏｌｃによれば、フィルタの透過率プロファイルはω＝２π・Δｎ・ｄ／λで定義されるωの余弦関数和で表わされ、ピーク波長λ０はω０＝２π・Ｋ（Ｋ＝０．５、１．５、２．５、・・・）を満たす場合、即ちΔｎ０・ｄ／λ０＝０．５、１．５、２．５、・・・により与えられる。ここで、Δｎ０＝Δｎ（λ０）である。図２９においては、λＣ＝４４０ｎｍとなるＰＣ（ポリカーボネート）の膜厚は、その複屈折波長分散特性から５４５ｎｍにおいてΔｎ・ｄ＝４０９ｎｍとなる。そして、２層を１単位として扱うことでフィルム厚ｄは２倍になっていることに留意すると、４０９ｎｍ×２／５４５ｎｍ＝１．５となるので、５４５ｎｍがピーク波長となることが示される。図２９に示す透過率特性をω／ω０の関数として表した特性図を図３０に示す。
【００２７】
以上の議論から、位相差フィルムの枚数と進相軸方位がフィルタの透過率プロファイルを決定する本質的な設計パラメータであり、リタデーション波長λＣと位相差フィルムの波長分散Δｎ（λ）がピーク波長λ０やピークの半値幅などを決める付随的な設計パラメータとなっていることが分かる。
【００２８】
ここまでの検討結果を用いて、Ｓｈａｒｐの設計が今回の目的に合致しないことを示すことができる。三波長蛍光管の主発光ピークはＢ（青）が４３５ｎｍ（水銀（Ｈｇ）の輝線が４３５ｎｍ、蛍光体の主発光ピークが４４５ｎｍとなっている）、Ｇ（緑）が５４３ｎｍ、Ｒ（赤）が６１０ｎｍであり、λ０＝５４３ｎｍである。Ｂ、Ｒの発光波長を透過域とするには、図３０からλ＝４３５ｎｍにおいてω／ω０＞１．２、λ＝６１０ｎｍにおいてω／ω０＜０．８を満たさなくてはならない。ω／ω０＝（Δｎ（λ）・λ０）／（Δｎ０・λ）であるから、λ＝４３５ｎｍにおいて、Δｎ（λ）／Δｎ０＞０．９６、λ＝６１０ｎｍにおいて、Δｎ（λ）／Δｎ０＜０．９０となることが必要である。
【００２９】
ここで、図３１に様々な複屈折フィルム材料の複屈折波長分散をΔｎ（λ）／Δｎ０として、上記条件と併せて示す。図３１から明らかなように、Ｒの主発光ピークが透過域となるような高波長分散の複屈折フィルム材料、すなわち５４３ｎｍの複屈折値に対して６１０ｎｍの値が０．９０となるような材料を選択することは困難であり、仮にそのような複屈折材料が得られたとしても、Ｂの主発光ピークにおける最適値から大きく外れてしまう可能性が高い。
【００３０】
図３２に、図３１に示した複屈折フィルム材料でＳｈａｒｐのフィルタ構成を実現した場合の透過率特性と、三波長蛍光管の発光特性１０１を示す。図３２から分かるように、このような複屈折フィルム材料でＳｈａｒｐのフィルタを構成しても、Ｒの主発光ピーク波長６１０ｎｍにおける透過率が大きく低下するため、光利用効率の低下及びホワイトバランスのシフトが生じ、本発明の目的には合致しないことが示される。
【００３１】
本発明の目的に合致した透過特性を得るためには、次のような指針で設計を行なうことが望ましい。すなわち、ＲＧＢ三波長ピーク間の２つの領域、Ｂ−Ｇ波長域とＧ−Ｒ波長域それぞれに吸収域を有し、他の波長域について全透過を行なうフィルタを合成するように積層する（図１０（ａ）、（ｂ）参照）。例えば図１０（ａ）においては、Ｂ−Ｇ波長域に透過特性を有するフィルタ１２０と、Ｇ−Ｒ波長域に透過特性を有するフィルタ１２２とを合成するように積層し、図１０（ｂ）においては、Ｂ−Ｇ波長域に透過特性を有するフィルタ１２４と、Ｇ−Ｒ波長域に透過特性を有するフィルタ１２６とを合成するように積層する。このような吸収フィルタの透過率形状は、Ｓｏｌｃらが提案した狭帯域フィルタ（ノッチフィルタとも云う）例えば図１０（ａ）、（ｂ）においてはフィルタ１２０，１２２，１２６や、台形状フィルタ例えば図１０（ｂ）においては、フィルタ１２４が望ましい。特に、後述するように通常用いられる三波長蛍光管材料においてはＢ−Ｇ波長域間が広く、Ｇ−Ｒ波長域間が狭いので、例えば図１０（ｂ）に示すように、前者を台形状フィルタ、後者を狭帯域フィルタで構成することが好適である。
【００３２】
上記フィルタを実現する具体的手段のうち、狭帯域フィルタの設計方法はＳｏｌｃらに開示されている方法に基づく。例えば、平行ニコル間に「折り畳み型」フィルタを配置する設計例を設計１〜９として図１１（ａ）、（ｂ）、（ｃ）に示した。値は複屈折フィルムの各層における透過偏光軸に対する角度である。複屈折位相差フィルムの枚数をＮとすると、進相軸方位を決めるパラメータρとαは、
Ｎ・ρ＋（Ｎ−１）２・α／４＝４５°              （１）
を満たすように決められる。αはフィルタ形状を決める補助パラメータであり、任意であるが、設計例として各Ｎ毎にα＝０°、１°、ρとして示した。Ｎは複屈折フィルム層の層数であって、奇数からなり、Ｎを大きくするほどフィルタのサイドピークが滑らかになるが、実用上Ｎ＝３〜９が適当である。
【００３３】
図１１に示した進相軸角を用い、三波長蛍光管の主発光ピーク間に吸収ピークが来るように、複屈折Δｎの波長分散を考慮しながら複屈折位相差フィルムのリタデーション波長λＣを与えることで、本発明の目的を達成することができる。図１２、図１３、図１４は、各設計例の構成について、三波長間のＧ、Ｒ主発光ピーク間にピーク波長が位置するよう、リタデーション波長λＣは、λＣ＝８２０ｎｍのＰＣ（ポリカーボネート）を複屈折位相差フィルムとして用いた場合の透過率プロファイルである。図１２、図１３、図１４から分かるように、Ｎ＝７もしくは９、α＝０〜１°が最適なパラメータ値であるといえる。なお、図１２、図１３、図１４において、符号１０１は、三波長冷陰極蛍光管の発光スペクトル分光特性を示すグラフである。
【００３４】
ここで、複屈折材料の波長分散特性を考慮しながら吸収ピーク波長が所望の波長となるようにリタデーション波長λＣを決める具体的方法について述べる。「折り畳み型」フィルタにおいて、吸収ピーク波長λ０は
Ｋ＝Δｎ０・ｄ／λ０＝０．５、１．５、２．５、・・・    （２）
として与えられる。ここで、Δｎ０はピーク波長λ０における複屈折、即ちΔｎ０＝Δｎ（λ０）である。本設計例においてＫ＝１．５、λ０＝５８０ｎｍとすると、Δｎ０・ｄ＝８７０ｎｍとなる。
【００３５】
一方、複屈折Δｎの分散曲線は、例えば
Δｎ（λ）＝（Ａ・λ２＋Ｂ）／（λ２−Ｃ２）          （３）
として、複屈折材料に依存するパラメータＡ、Ｂ、Ｃを用いて表わすことができる。（２）式と（３）式からフィルム厚ｄが求められるので、リタデーション波長の定義
λＣ＝Δｎ（λＣ）×ｄ                                （４）
から、３次方程式
λＣ３−Ａ・ｄ・λＣ２−Ｃ２・λＣ−ｄ・Ｂ＝０            （５）
を解くことによりリタデーション波長λＣを求めることが可能となる。
【００３６】
図１５に、５５０ｎｍにおける複屈折を１として各複屈折材料に対する波長分散パラメータ及び、λ０＝５８０ｎｍとした場合に求められる各リタデーション波長λＣを表にして示す（各複屈折材料における波長分散特性は図３１に示した）。また、各複屈折材料における設計例４の結果を図１６に示す。このように、いかなる波長分散特性を有する複屈折材料を用いても、上記手続きに従ってフィルタを構成することで最適なフィルタ特性を得ることが可能となる。なお、図１６において、符号１０１は、三波長冷陰極蛍光管の発光スペクトル分光特性を示すグラフである。
【００３７】
次に、狭帯域フィルタを構成するもう一つの例として、直交ニコル間に「扇型フィルタ（Ｆａｎ  Ｆｉｌｔｅｒ）」を配置する設計例を設計１０〜１８として図１７（ａ）、（ｂ）、（ｃ）に示す。図１１と同様に、進相軸角パラメータρ、αは（１）式から決められる。ここで、偏光板透過軸は第１層（Ｎｏ．１）側を０°、第Ｎ層側を９０°とした。「扇型」フィルタは「折り畳み型」フィルタに比べ吸収ピーク半値幅が広いため、Ｂ−Ｇ間の吸収フィルタとして使用すると都合が良い。「扇型」フィルタにおいてピーク波長λ０の条件は
Ｋ＝Δｎ０・ｄ／λ０＝１、２、３、・・・              （６）
となる。従って、Ｋ＝１とすると（４）式からピーク波長λ０がリタデーション波長λＣとなり、複屈折材料によらず所望する吸収ピーク波長をリタデーション波長として使用すればよい。λ０＝λＣ＝４８０ｎｍとして、複屈折材料にＰＣを用いた場合における設計例１０〜１８のフィルタ特性を図１８、図１９、図２０に示す。また、各複屈折材料における設計例１４のフィルタ特性を図２１に示す。図１８、図１９、図２０より、Ｎ＝５もしくは７が最適なフィルム枚数であることが分かる。なお、図１８、図１９、図２０において、符号１０１は、三波長冷陰極蛍光管の発光スペクトル分光特性を示すグラフである。
【００３８】
Ｂ−Ｇ主発光ピーク間における吸収フィルタには、上記ノッチフィルタよりも波長域を広く取れる台形状フィルタがより適している。フィルタの急峻性においては台形状フィルタよりも矩形状フィルタの方が望ましいが、矩形状フィルタを限られた枚数の複屈折位相差フィルムで構成しようとすると透過域にフリンジが発生するため、実用的には台形状フィルタを用いるのが適している。
【００３９】
台形状フィルタを設計する具体的手順は以下の通りである。まず第1に
ω＝２π・Δｎ・ｄ／λ                        （７）
で定義されるωに対する透過率曲線を決定する。ここで、台形関数にはフーリエ級数
【数１】
0003772092.tif 000002
を用いることにした。ここで、ｄ０とΔｄは台形形状を決めるパラメータであり、ｍは１〜Ｎの有限フーリエ級数である。Ｎは複屈折位相差フィルム枚数であり奇数を取る。ωに対する（８）式の曲線の例を図２２に示す。（８）、（９）式は上に凸の台形関数であるから、
｜Ｄ（ω）｜２＝１−Ｔ（ω）              （１０）
となる｜Ｄ（ω）｜２が本発明の目的に合致した台形状吸収フィルタ特性を表わす。
【００４０】
次に、用いる複屈折材料の複屈折波長分散特性に留意しながらピーク波長λ０と形状パラメータｄ０、Δｄを決めればよい。図２２と（７）式より、ピーク波長は
Ｋ＝Δｎ０・ｄ／λ０＝１、２、３、・・・      （１１）
で与えられる。適当なＫの値を選び、上述した方法でピーク波長λ０からリタデーション波長λＣを求めることにより、所望の台形状吸収フィルタ曲線を設計することが可能となる。Ｋ＝２とし、ピーク波長λ０＝４８０ｎｍとしてＢ−Ｇ吸収フィルタを図１５の複屈折特性を有する複屈折材料で設計した例を図２３〜２６に示す。これらの特性より、Ｎ＝３もしくは５枚で所望のフィルタ特性が得られることが分かる。また、図２３〜２６には複屈折位相差フィルム各層の進相軸方位と出射側偏光板（検光子）の透過偏光軸方位を併せて示した。これらの値は入射側偏光板の偏光透過軸方位を０°として示している。各進相軸方位の値は、（９）式で表わされる（８）の係数値Ｃ０〜ＣＮから、
【数２】
0003772092.tif 000003
で表わされる電場応答関数Ｃ（ω）、Ｄ（ω）の各係数Ａ０〜ＡＮ、Ｂ０〜ＢＮを求め、Ｈａｒｒｉｓらによって導かれたこれら係数の値と進相軸方位の関係式から求められる。例えば、出射側偏光板の透過偏光軸方位をθｐとすると、
【数３】
0003772092.tif 000004
のように表わされる。
【００４１】
以上述べてきたように、本発明の目的である、三波長蛍光管の主発光ピーク以外の不所望成分を除去し、色再現範囲を拡大するという課題を解決するにあたり、従来提案されてきたフィルタでは問題を解決することが困難であり、課題を解決する新たな色強調フィルタの構成及びその具体的設計手法を示し、更にはそれを用いた新規なカラー表示装置の構成を提案するものである。以下、本発明で提案する新規なカラー表示装置の構成について述べる。
【００４２】
本発明を構成する要素のうち、複屈折位相差フィルムはＰＣ（ポリカーボネート）やＰＶＡ（ポリビニルアルコール）製の位相差フィルムを使用することが望ましいが、ＰＳＦ（ポリスルフォン）やＰＭＭＡ（ポリメチルメタアクリレート）など、他の材質を用いても複屈折の波長分散を考慮してリタデーション値を変更することにより同等の特性が実現できる。また、斜め方向からの視認性を考慮して、斜め入射においても一軸性位相差フィルムに比べリタデーション値が変化しにくい三次元補償フィルム（二軸性位相差フィルム）を用いることが望ましい。三次元補償フィルムは、例えば日東電工社製のＮＲＺシリーズなどが使用可能である。
【００４３】
偏光素子としては、通常のヨウ素系や染料系偏光板（例えば日東電工ＮＰＦ−１４２５ＤＵやポラテクノＫＮシリーズ）を用いることも可能であるが、複屈折位相差フィルム層に対し光源側に配置される場合は、非吸収性偏光板であることが光利用効率上望ましい。なぜなら、偏光板の吸収軸に吸収される光成分を再帰的に利用することが可能となるからである。非吸収性偏光板の条件は、直線偏光子であることが要求される。例えば、複屈折性ポリマーを積層し誘電体多層膜を形成した住友３Ｍ社のＤＢＥＦや、異方拡散反射性に基づく非吸収性偏光素子である同社製ＤＲＰＦ−Ｈなどが使用でき、偏光を分離する原理は問わない。但し、Ｍｅｒｃｋ社のＴｒａｎｓＭａｘや日東電工社製のＰＣＦ３００のようにコレステリック液晶ポリマーの円偏光選択性を利用した非吸収性偏光素子の場合には、出射円偏光を直線偏光に変換する１／４波長フィルムを複屈折位相差フィルム層と偏光板間に付加する必要がある（なお、製品によっては、非吸収性偏光素子に１／４波長フィルムが付加され直線偏光を出射するものもある）。または、円偏光を入射偏光として、透過率特性が仕様を満足するよう複屈折層の積層パラメータを設計することが必要となる。偏光素子の偏光度は高いほど望ましいが、先に述べた非吸収性偏光素子などのように、偏光度が９０％以下の偏光素子を用いても十分に所望の効果を得ることができる。
【００４４】
複屈折位相差フィルム層と偏光素子の位置は、光源と液晶表示素子、あるいは液晶表示素子の前面（観測面）側に設けられる。前者の配置において、例えば偏光素子を光源とライトガイドとの間、複屈折位相差フィルム層をライトガイドと液晶表示素子との間に配置するなど、近接していなくても構わないが、密接している方が偏光度を保つ点で望ましい。同様に、複屈折位相差フィルムの出射面と液晶表示素子の入射側偏光板も密接している方が望ましい。
【００４５】
白色光源としては、カラーＬＣＤにおいて一般的に使用される三波長冷陰極蛍光管を使用することが望ましい。蛍光材料としては、Ｒ用蛍光体として６１０ｎｍの発光ピークを有するＹ２Ｏ３：Ｅｕ３＋、Ｇ用蛍光体として５４３ｎｍに発光ピークを有するＣｅＭｇＡｌ１１Ｏ１９：Ｔｂ３＋、ＬａＰＯ４：Ｃｅ３＋，Ｔｂ３＋、Ｌａ２Ｏ３・０．２ＳｉＯ２・０．９Ｐ２Ｏ５：Ｃｅ３＋，Ｔｂ３＋、Ｂ用蛍光体として４３５〜４５２ｎｍに発光ピークを有するＢａ３ＭｇＳｉ２Ｏ８：Ｅｕ２＋、ＣａＷＯ４：Ｐｂ２＋、ＢａＭｇ２Ａｌ１６Ｏ２７：Ｅｕ２＋、（Ｓｒ，Ｃａ）１０（ＰＯ４）６Ｃｌ２：Ｅｕ２＋、３（Ｓｒ，Ｃａ，Ｂａ）３（ＰＯ４）２：Ｅｕ２＋、（Ｓｒ，Ｃａ，Ｂａ）１０（ＰＯ４）６Ｃｌ２・ｎＢ２Ｏ３：Ｅｕ２＋などを用いることができるが、上に述べた以外の蛍光体材料においても、主発光ピークが上に述べた範囲に含まれる蛍光体材料であれば本発明に使用可能であることは明らかである。平面型光源の形態としては、液晶表示素子直下に白色光源が配置された、所謂直下型構造でも、液晶表示素子下部にライトガイドを設けたサイドライト型構造でもどちらでも良い。
【００４６】
以下、本発明の実施形態について説明する。但し、本発明の構成は実施形態に述べた限りではなく、本実施形態に述べた構成を様々に組み合わせて使用することが可能である。
【００４７】
（第１の実施形態）
本発明の第１の実施形態について説明する。図１は本実施形態のカラー表示装置の構成を模式的に示した図である。この実施形態のカラー表示装置は、冷陰極蛍光管などの白色光源１１、この光源１１の光およびこの光の反射器１２による反射光を面状に均一照明するためのライトガイド１３、反射板１４、拡散集光フィルム（住友３Ｍ製ＢＥＦ）１５、および拡散シート（図示せず）からなるバックライトユニット１０と、画像を表示する液晶表示素子２０と、複屈折位相差フィルム層３０および非吸収性偏光板（住友３Ｍ製ＤＢＥＦ）４０からなる色強調フィルタと、を備えている。液晶表示素子２０は、入射側偏光板２１と、ＲＧＢカラーフィルタ２３と、液晶層２５と、配向膜および電極２４，２６からなる液晶パネル２２と、出射側偏光板２９とを有している。バックライトユニット１０から照明光として出射される白色光は、非吸収性偏光板４０を透過する際に無偏光から直線偏光に変換され、複屈折位相差フィルム層３０に入射する。非吸収性偏光板４０を透過しない光成分は拡散集光フィルム１５側に反射され、反射板１４、ライトガイド１３、拡散集光フィルム１５、拡散シート（図示せず）の各界面における拡散反射により無偏光化され、再帰的に非吸収性偏光板４０に入射する。複屈折位相差フィルム３０に入射した直線偏光は波長毎に位相変調され、液晶表示素子２０の入射側偏光板２１を通過する際に、白色光源１１に含まれる不所望光成分が吸収される。このように、主発光ピーク成分のみが液晶パネル２２に入射し、更に液晶パネル２２内に画素毎に設けられたＲＧＢカラーフィルタ２３により各ＲＧＢ色に色分解される。ＲＧＢ色に分解された入射偏光は、画素毎に電気的に制御された液晶分子の配列に従いその偏光状態が変調され、液晶表示素子２０の出射面に設けられた出射側偏光板２９を透過することでＯＮ、ＯＦＦ表示が行われる。カラーフィルタは液晶層に対し、光入射側ではなく出射側に位置することも多い。
【００４８】
図２に、液晶表示パネル２２内に設けられたＲＧＢカラーフィルタ分光特性１０２，１０３，１０４及び三波長冷陰極蛍光管の発光スペクトル１０１を示す。図３３に示す従来のカラー表示装置では、図２の両者の分光特性及び、液晶パネル２２内の液晶層２５のリタデーションから図７に示すＲＧＢ色再現域１１０が決定される。なお、図７は、ｕ’ｖ’色度図であり、符号１０９は、本発明のカラー表示装置におけるＲＧＢ色再現域を示す。
【００４９】
一方、本実施形態においては、色強調フィルタを構成する、複屈折位相差フィルム層３０および非吸収性偏光板４０は、バックライト１０と液晶表示素子２０の入射側偏光板２１間に設けられている。複屈折位相差フィルム層３０、非吸収性偏光板４０、および液晶表示素子２０の入射側偏光板２１における光学配置を図３に示す。複屈折位相差フィルム層３０は計１２層からなり、日東電工製２軸補償フィルムＮＲＺシリーズを用いた。これらは、５層のリタデーション８５０ｎｍの複屈折位相差フィルム層と、７層から成るリタデーション８２０ｎｍの複屈折位相差フィルム層とから構成されている。前者は三波長冷陰極蛍光管の主発光ピークＢＧ間、後者はＧＲ間のサブピーク吸収フィルタを目的として配置されている。三波長冷陰極蛍光管の主発光ピークはＢ：４３５ｎｍ、Ｇ：５４３ｎｍ、Ｒ：６１０ｎｍであり、ＢＧ発光ピーク波長間隔がやや広いため、ＢＧ間の吸収フィルタは台形状、ＧＲ間吸収フィルタはノッチフィルタとしてそれぞれ設計した（図１０（ｂ）参照）。各々の吸収フィルタを偏光度１００％の理想偏光板間で実現した設計値を図４に示す。各リタデーション値は複屈折の波長分散を考慮して決定した。図４において、符号１０１は、三波長冷陰極管の発光スペクトル分光特性を示すグラフ、符号１０５は、Ｂ−Ｇ間吸収フィルタ透過率特性を示すグラフ、符号１０６は、Ｇ−Ｒ間吸収フィルタ透過率特性を示すグラフである。
【００５０】
図３の設計値を実際の非吸収性偏光板（ＤＢＥＦ）、入射側偏光板（日東電工ＥＧ１４２５ＤＵ）で構成した時の透過率特性１０７を図５に示す。各ＲＧＢ主発光ピークは透過し、主発光ピーク間のサブピークを吸収する透過特性が実現できていることが分かる。本フィルタを通過後の発光スペクトルを図６に示す。図中矢印に示したサブピークが除かれ、液晶パネル２０を照明する光は色純度に優れた主発光スペクトルのみになっていることが分かる。すなわち、本実施形態にかかる色強調フィルタは、白色光源１１の三原色の主発光ピークを強調する構成となっている。
【００５１】
以上述べたように、本実施形態により白色光源である三波長冷陰極蛍光管のサブピークを減少させることが可能となった。図２に示した特性のＲＧＢカラーフィルタを用いてＲＧＢ表示した際の色再現域１０９を図７に示す。従来のカラー表示装置の色再現域１１０に比べ、ＲＧＢ色再現域が増大していることが分かる。
【００５２】
また、本実施形態における光利用効率を従来例と比較すると、非吸収性偏光板４０を複屈折位相差フィルム層３０の入射側偏光板に用いることにより、液晶パネル２０の入射側偏光板で吸収される不所望偏光成分はバックライトユニット１０側に反射されて、反射シート１４などバックライト各界面における拡散反射時の偏光解消と再帰反射により入射側偏光板を透過する所望偏光成分に変換されるため、実効的な光束量は約１．６倍に増加する。複屈折位相差フィルム層３０での主発光ピーク透過効率は約８０％であるから、最終的な照明効率は従来の１．２８倍となる。従って、本実施形態を用いることにより、照明効率は従来の構成と同等以上で、液晶表示素子２０及びバックライトユニット１０の構成を変更することなく色再現域を増大させることが可能となった。
【００５３】
（第２の実施形態）
図８に本発明によるカラー表示装置の第２の実施形態の構成を示す。本実施形態においては、バックライトユニット１０Ａは冷陰極蛍光管１１が複数本、液晶表示素子２０の直下に配置された直下型構造をしており、色強調フィルタを構成する、複屈折位相差フィルム層３０および吸収性偏光板４２は液晶表示素子２０の上部に配置されている。複屈折位相差フィルム層３０及び吸収性偏光板４２の配置順とバックライトユニット１０Ａの構造には直接の関連性は無く、第１の実施形態のように側部に冷陰極蛍光管が配置されたサイドライト構造であっても全く構わない。この実施形態にかかる色強調フィルタも第１の実施形態の場合と同様に白色光源１１の三原色の主発光ピークを強調する構成となっている。
【００５４】
本実施形態では、色強調フィルタを構成する複屈折フィルム層３０及び偏光板４２が画面上部に配置されていることにより、これらの複屈折フィルム層３０及び偏光板４２は、周囲光の写りこみの低減、即ち液晶表示素子２０の観測側からの照明光反射を効果的に低減する反射防止層としても機能する。これは、透過光に対してはＲＧＢ色強調フィルタとして機能し、液晶表示素子２０の界面にて反射する反射光に対しては、複屈折位相差フィルム層３０での偏光変換効果により最上部の偏光板４２で反射光が吸収される効果によるものである。
【００５５】
本実施形態の構成においては偏光板４２が通常の吸収性偏光板であるために、透過率は従来の７０％程度に低下するが、照明光となる蛍光体の波長成分のみを透過し、それ以外の波長成分を吸収する機能を果たすため、周囲の環境光からの表示画面への写り込みを実効的に減らすことが可能となり、実効的なコントラストを著しく向上させることが可能となる。
【００５６】
なお、この第２の実施形態も第１の実施形態と同様に、色再現域を広くすることができる。
【００５７】
（第３の実施形態）
図９に本発明によるカラー表示装置の第３の実施形態の構成を示す。本実施形態のカラー表示装置は、第１の実施形態のカラー表示装置において、薄型化を図るため、色強調フィルタを構成する、複屈折位相差フィルム層３０及び非吸収性偏光板４０を白色光源１１とライトガイド１３間に配置したことを特徴とする。本実施形態の構成を取ることで、比較的積層数の多い複屈折位相差フィルム層３０の必要面積を削減し、カラー表示装置の厚みを低減することが可能である。必須な偏光板４０は白色光源１１と複屈折位相差フィルム層３０との間に配置されている。この実施形態にかかる色強調フィルタも第１の実施形態の場合と同様に白色光源１１の三原色の主発光ピークを強調する構成となっている。なお、本実施形態においては、上記複屈折位相差フィルム層３０及び非吸収性偏光板４０の他に、複屈折位相差フィルム層３０とライトガイド１３間には偏光板４４、ライトガイド１３と液晶表示素子２０間には非吸収性偏光板４６、および非吸収性偏光板４６と液晶表示素子２０との間には１／２波長フィルム６０が更に設けられた構成となっている。
【００５８】
本実施形態では照明効率向上のために非吸収性偏光板４０を配置したが、効率の点以外では一般的な吸収性偏光板であっても良い。非吸収性偏光板４０の場合は反射された不所望偏光光が蛍光管１１及びリフレクタ１２での再帰反射により偏光解消され、透過効率が向上する。複屈折位相差フィルム層３０とライトガイド１３間に設けられた偏光板４４、ライトガイド１３と液晶表示素子２０間にある非吸収性偏光板４６は必須ではないが、ライトガイド１３中での導光及び出射の際に偏光度が減少するため、特性保持の観点から設置が望ましい部材である。前者の偏光板４４は吸収フィルタの透過率特性を確保し、後者の偏光板４６はバックライトを出射した際の偏光度低下に起因する液晶パネル２０の偏光板２１での吸収を低減させるためのものである。
【００５９】
また、ライトガイド中の導光時に偏光度が保存される望ましい出射偏光方向は、偏光面がライトガイドの底面に水平あるいは垂直である。従って、偏光度を保ったまま効率良く照明光が出射されるのは、画面に対し水平（０°）または垂直方向（９０°）に偏光面がある場合である。一般的な液晶表示素子２０の偏光板方位は視角の問題から４５°方向に配置される場合が多く、１／２波長フィルム６０は照明光の出射偏光方向（非吸収性偏光板の透過軸に一致）と液晶表示素子２０の偏光板２１の偏光透過軸方位を２分する方位に進相軸が配置されることにより所望の方位に偏光面を変換する機能を持つ。
【００６０】
従って、入射側偏光板の透過軸方位が画面に対し水平あるいは垂直の場合、もしくはライトガイド中での偏光解消が大きく、照明効率の非吸収性偏光板方位依存性が無い場合などは１／２波長フィルム６０を必要としない。
【００６１】
また、１／２波長フィルム６０はその波長分散を低減するために複数枚使用することもある。例えば、２枚使用する際は、照明光の出射偏光方向と液晶表示素子２０の偏光板透過軸方位を４分し、それぞれ１／４、３／４の方位に配置すると良い。
【００６２】
この第３の実施形態も第１の実施形態と同様に、色再現域を広くすることができるとともに、写り込みを可及的に少なくすることができる。
【００６３】
【発明の効果】
以上述べたように本発明によれば、ＲＧＢ色再現域を広くすることができるとともに写り込みを少なくすることができる。
【図面の簡単な説明】
【図１】本発明によるカラー表示装置の第1の実施形態の構成を示した図。
【図２】第１の実施形態及び従来例において、光源の発光スペクトルとＲＧＢカラーフィルタの分光特性を示した図。
【図３】第１の実施形態における各光学素子の光学パラメータを示した図。
【図４】第１の実施形態における吸収フィルタの設計値を示した図。
【図５】第１の実施形態において吸収フィルタの透過率特性を示した図。
【図６】第１の実施形態において吸収フィルタ透過後の発光スペクトルを示した図。
【図７】第１の実施形態及び従来例のＲＧＢ色再現域を示した図。
【図８】本発明によるカラー表示装置の第２の実施形態における構成を示した図。
【図９】本発明によるカラー表示装置の第３の実施形態における構成を示した図。
【図１０】本発明の吸収フィルタ設計概念を示した図。
【図１１】本発明に用いられる第１のフィルタ設計例を示した図。
【図１２】図１１に示されたフィルタ設計例の特性図。
【図１３】図１１に示されたフィルタ設計例の特性図。
【図１４】図１１に示されたフィルタ設計例の特性図。
【図１５】複屈折材料の波長分散特性パラメータを示した図表。
【図１６】図１１に示されたフィルタ設計例において、図１５に示された複屈折材料におけるフィルタ特性図。
【図１７】本発明に用いられる第２のフィルタ設計例を示した図表。
【図１８】図１７に示されたフィルタ設計例の特性図。
【図１９】図１７に示されたフィルタ設計例の特性図。
【図２０】図１７に示されたフィルタ設計例の特性図。
【図２１】図１７に示されたフィルタ設計例において、図１５に示された複屈折材料におけるフィルタ特性図。
【図２２】本発明に用いられる第３のフィルタ設計における基本フィルタ特性を示した図。
【図２３】第３のフィルタ設計における第１の設計例を示した図。
【図２４】第３のフィルタ設計における第２の設計例を示した図。
【図２５】第３のフィルタ設計における第３の設計例を示した図。
【図２６】第３のフィルタ設計における第４の設計例を示した図。
【図２７】従来における吸収フィルタ設計概念を示した図。
【図２８】従来の吸収フィルタにおける設計例を示した図。
【図２９】図２８の設計例におけるフィルタ特性を示した図。
【図３０】図２９のフィルタ特性をωの関数として示した図。
【図３１】各種複屈折材料における複屈折の波長分散と従来のフィルタ設計に必要とされる値を示した図。
【図３２】従来の吸収フィルタにおいて、複屈折材料を変えてフィルタを構成した場合のフィルタ特性を示した図。
【図３３】従来のカラー表示装置の構成を示した図。
【符号の説明】
１０  バックライトユニット
１１  白色光源
１２  反射器
１３  ライトガイド
１４  反射板
１５  拡散集光フィルム
２０  液晶表示素子
２１  入射側偏光板
２２  液晶パネル
２３  ＲＧＢカラーフィルタ
２４，２６  配向膜および透明電極
２５  液晶層
２９  出射側偏光板
３０  複屈折位相差フィルム
４０、４６  非吸収性偏光板
４２  吸収性偏光板
４４  偏光板
６０  １／２波長フィルム
１０１  三波長冷陰極蛍光管の発光スペクトル分光特性
１０２  ブルーカラーフィルタ分光透過率特性
１０３  グリーンカラーフィルタ分光透過率特性
１０４  レッドカラーフィルタ分光透過率特性
１０５  ＢＧ間吸収フィルタ透過率特性
１０６  ＧＲ間吸収フィルタ透過率特性
１０７  第１の実施形態における吸収フィルタ透過率特性
１０８  吸収フィルタ透過後の発光スペクトル分光特性
１０９  本発明のカラー表示装置における色再現域
１１０  従来のカラー表示装置における色再現域
【図１】
0003772092.tif 000005
【図２】
0003772092.tif 000006
【図３】
0003772092.tif 000007
【図４】
0003772092.tif 000008
【図５】
0003772092.tif 000009
【図６】
0003772092.tif 000010
【図７】
0003772092.tif 000011
【図８】
0003772092.tif 000012
【図９】
0003772092.tif 000013
【図１０】
0003772092.tif 000014
【図１１】
0003772092.tif 000015
【図１２】
0003772092.tif 000016
【図１３】
0003772092.tif 000017
【図１４】
0003772092.tif 000018
【図１５】
0003772092.tif 000019
【図１６】
0003772092.tif 000020
【図１７】
0003772092.tif 000021
【図１８】
0003772092.tif 000022
【図１９】
0003772092.tif 000023
【図２０】
0003772092.tif 000024
【図２１】
0003772092.tif 000025
【図２２】
0003772092.tif 000026
【図２３】
0003772092.tif 000027
【図２４】
0003772092.tif 000028
【図２５】
0003772092.tif 000029
【図２６】
0003772092.tif 000030
【図２７】
0003772092.tif 000031
【図２８】
0003772092.tif 000032
【図２９】
0003772092.tif 000033
【図３０】
0003772092.tif 000034
【図３１】
0003772092.tif 000035
【図３２】
0003772092.tif 000036
【図３３】
0003772092.tif 000037